【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
ＩＰアドレスを使用して通信を行うネットワーク機器であって、
ユーザによる操作を受け付ける操作手段と、
前記操作手段が受け付けるユーザの操作に従って前記ＩＰアドレスを設定する設定手段と、を備え、
前記操作手段が、
前記ＩＰアドレスを構成する数字または英字を示す値を入力する第１の入力手段と、
前記第１の入力手段により入力される値を、１６ビット単位の複数のフィールドに区切るための記号を入力する第２の入力手段と、
ユーザによる１回の操作で、前記複数のフィールドの少なくとも１つに含まれる特定の値が省略されていることを示す省略記号を入力する第３の入力手段と、
を備えることを特徴とするネットワーク機器。
【請求項２】
前記省略記号は、前記複数のフィールドの少なくとも１つに前記特定の値のみが連続して含まれていることを示す記号であることを特徴とする請求項１に記載のネットワーク機器。
【請求項３】
前記第３の入力手段により省略記号が入力された場合に、前記複数のフィールドのうち前記特定の値のみが連続して含まれているフィールドを特定し、当該特定したフィールドを前記第３の入力手段により入力された省略記号に置換する置換手段を更に備えることを特徴とする請求項２に記載のネットワーク機器。
【請求項４】
前記第３の入力手段により省略記号が入力された状態で、前記第３の入力手段により省略記号が更に入力された場合に、当該更に入力された省略記号に代えて、前記特定の値を入力する手段を更に備えることを特徴とする請求項１から３のいずれか１項に記載のネットワーク機器。
【請求項５】
ＩＰアドレスを使用して通信を行うネットワーク機器であって、
ユーザによる操作を受け付ける操作手段と、
前記操作手段が受け付けるユーザの操作に従って前記ＩＰアドレスを設定する設定手段と、を備え、
前記操作手段が、
前記ＩＰアドレスを構成する数字または英字を示す値を入力する第１の入力手段と、
前記第１の入力手段により入力される値を、１６ビット単位の複数のフィールドに区切るための記号を入力する第２の入力手段と、
ユーザによる１回の操作で、前記記号を２つ連続して入力する第３の入力手段と、
を備えることを特徴とするネットワーク機器。
【請求項６】
前記操作手段は、タッチパネル機能を有する表示手段を備え、
前記第１の入力手段、前記第２の入力手段、及び前記第３の入力手段は、それぞれ第１の入力キー、第２の入力キー、及び第３の入力キーとして前記表示手段に表示されることを特徴とする請求項１から５のいずれか１項に記載のネットワーク機器。
【請求項７】
前記第１の入力キー、前記第２の入力キー、及び前記第３の入力キーは、前記表示手段により表示される画面が、前記ＩＰアドレスをユーザが手動で設定するための画面に切り替えられたことに応じて表示されることを特徴とする請求項６に記載のネットワーク機器。
【請求項８】
前記ＩＰアドレスは、ＩＰｖ６として定義されているＩＰアドレスであることを特徴とする請求項１から７のいずれか１項に記載のネットワーク機器。
【請求項９】
ユーザによる操作を受け付ける操作手段と、前記操作手段が受け付けるユーザの操作に従ってＩＰアドレスを設定する設定手段とを備え、設定された前記ＩＰアドレスを使用して通信を行うネットワーク機器の制御方法であって、
前記操作手段が、
前記ＩＰアドレスを構成する数字または英字を示す値を入力する第１の入力工程と、
前記第１の入力工程で入力される値を、１６ビット単位の複数のフィールドに区切るための記号を入力する第２の入力工程と、
ユーザによる１回の操作で、前記複数のフィールドの少なくとも１つに含まれる特定の値が省略されていることを示す省略記号を入力する第３の入力工程と、
を実行することを特徴とするネットワーク機器の制御方法。
【請求項１０】
ユーザによる操作を受け付ける操作手段と、前記操作手段が受け付けるユーザの操作に従ってＩＰアドレスを設定する設定手段とを備え、設定された前記ＩＰアドレスを使用して通信を行うネットワーク機器の制御方法であって、
前記操作手段が、
前記ＩＰアドレスを構成する数字または英字を示す値を入力する第１の入力工程と、
前記第１の入力工程で入力される値を、１６ビット単位の複数のフィールドに区切るための記号を入力する第２の入力工程と、
ユーザによる１回の操作で、前記記号を２つ連続して入力する第３の入力工程と、
を実行することを特徴とするネットワーク機器の制御方法。
【請求項１１】
請求項９または１０に記載のネットワーク機器の制御方法をコンピュータに実行させるためのプログラム。
【手続補正２】
【補正対象書類名】明細書
【補正対象項目名】発明の名称
【補正方法】変更
【補正の内容】
【発明の名称】ネットワーク機器、ネットワーク機器の制御方法及びプログラム
【手続補正３】
【補正対象書類名】明細書
【補正対象項目名】０００１
【補正方法】変更
【補正の内容】
【０００１】
本発明は、ネットワーク機器のＩＰアドレスの設定に関し、特定の記号を利用してアドレスを設定可能な、ネットワーク機器、ネットワーク機器の制御方法及びプログラムに関する。
【手続補正４】
【補正対象書類名】明細書
【補正対象項目名】００１５
【補正方法】変更
【補正の内容】
【００１５】
上記の目的を達成するため、本発明の実施形態におけるネットワーク機器は、ＩＰアドレスを使用して通信を行うネットワーク機器であって、ユーザによる操作を受け付ける操作手段と、操作手段が受け付けるユーザの操作に従ってＩＰアドレスを設定する設定手段と、を備え、操作手段が、ＩＰアドレスを構成する数字または英字を示す値を入力する第１の入力手段と、第１の入力手段により入力される値を、１６ビット単位の複数のフィールドに区切るための記号を入力する第２の入力手段と、ユーザによる１回の操作で、複数のフィールドの少なくとも１つに含まれる特定の値が省略されていることを示す省略記号を入力する第３の入力手段と、を備える、ことを特徴とする。
【手続補正５】
【補正対象書類名】明細書
【補正対象項目名】００１６
【補正方法】変更
【補正の内容】
【００１６】
上記の目的を達成するため、本発明の他の実施形態におけるネットワーク機器は、ＩＰアドレスを使用して通信を行うネットワーク機器であって、ユーザによる操作を受け付ける操作手段と、操作手段が受け付けるユーザの操作に従ってＩＰアドレスを設定する設定手段と、を備え、操作手段が、ＩＰアドレスを構成する数字または英字を示す値を入力する第１の入力手段と、第１の入力手段により入力される値を、１６ビット単位の複数のフィールドに区切るための記号を入力する第２の入力手段と、ユーザによる１回の操作で、記号を２つ連続して入力する第３の入力手段と、を備える、ことを特徴とする。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】０００６
【補正方法】変更
【補正の内容】
【０００６】
「１１１１：２２２２：３３３３：４４４４：５５５５：ＡＡＡＡ：ＢＢＢＢ：ＣＣＣＣ」
このように、１２８ビット長のアドレスを１６ビット単位に分割し、分割の区切りとしてコロン「：」を使用する。以下説明のために、１６ビット単位で分割されたそれぞれを「フィールド」と呼ぶ。つまり、ＩＰｖ６アドレスは８つのフィールドから構成される。１６ビット単位の区切りの中は、それぞれ１６進数で表現することに規定されている。このアドレス表記が基本形であるが、このアドレス表記は文字数が多いため、いくつかの省略表記ルールが認められている。
【手続補正９】
【補正対象書類名】明細書
【補正対象項目名】００９７
【補正方法】変更
【補正の内容】
【００９７】
＜他の実施形態＞
本発明の実施にあたっては、各種の変形した実施形態を考慮することが可能である。設定するネットワーク機器は、ＭＦＰ１０１には限られない。ネットワークに接続される機器、たとえば、ＰＣ１０２、ＰＣ１０４であってもよい。この場合、ＰＣ１０２、ＰＣ１０４を使用してＩＰｖ６アドレスに含まれる、数字、英字、記号の入力を行うこととなる。